(57)【要約】      （修正有）【課題】バックライトの輝度調整を行うことなしに、表示輝度の調整を行う。【解決手段】車両情報取得部４０が取得した情報を基に表示位置制御部が該情報を意味するアイコンを表示する位置を決定する。運転手が操作する調光スイッチ３０からの情報を基にＲＧＢ値調整部２０が、情報表示部６０の各レイヤーに格納される情報ごとにＲＧＢ成分の値を調整し、ＲＧＢ成分の値が調整されて各レイヤーに格納された情報を、表示情報生成部６４が重ね合わせて情報表示部６０に表示する。【選択図】図８
2014080098.tif 000002
【特許請求の範囲】
【請求項１】
ＲＧＢ成分を格納可能な複数のレイヤーからなり、前記複数のレイヤーの各々に格納された、車両の運行や車両の状態に関するＲＧＢ成分からなる複数の情報を表示する情報表示部と、
前記複数のレイヤーの各々に格納する情報ごとに、ＲＧＢ成分の値を調整することによって前記情報の表示輝度を調整するＲＧＢ値調整部と、
前記ＲＧＢ値調整部によって調整されて、前記各レイヤーに格納されたＲＧＢ成分の値を重ね合わせて、前記情報表示部に出力する情報を生成する表示情報生成部と、を有することを特徴とする車両用表示装置。
【請求項２】
前記表示情報生成部は、より上位層のレイヤーに格納された情報のＲＧＢ成分の値によって、前記上位層のレイヤーよりも下位層のレイヤーの中の、前記情報と同じ位置に格納された情報をマスクすることによって、前記複数のレイヤーにそれぞれ格納された情報を重畳することを特徴とする請求項１に記載の車両用表示装置。
【請求項３】
前記ＲＧＢ値調整部は、車両の灯具の調光に連動して、前記情報表示部の最下層レイヤーに格納した、一部、もしくは全ての情報のＲＧＢ成分の値を調整するによって、前記一部、もしくは全ての情報の表示輝度を調整することを特徴とする請求項１または請求項２に記載の車両用表示装置。
【請求項４】
前記ＲＧＢ値調整部は、前記情報ごとに予め作成された、入力のＲＧＢ成分の値と出力のＲＧＢ成分の値の関係が記憶されたテーブルに基づいて前記情報の表示輝度の調整を行うことを特徴とする請求項１から請求項３のいずれか１項に記載の車両用表示装置。
【請求項５】
特定の情報のＲＧＢ値調整部は、前記特定の情報のＲＧＢ成分の値を、他の情報に対して、より明度、および／または、彩度が高いＲＧＢ成分の値に調整することを特徴とする請求項１から請求項４のいずれか１項に記載の車両用表示装置。
【請求項６】
前記特定の情報は、前記他の情報に対して、運転者の注意をより一層喚起する必要がある情報であることを特徴とする請求項５に記載の車両用表示装置。
【請求項７】
車両の運行や車両の状態に関するＲＧＢ成分からなる複数の情報を表示する情報表示部と、
前記情報表示部に表示する情報ごとに、前記情報のＲＧＢ成分の値を調整することによって前記情報の表示輝度を調整するＲＧＢ値調整部と、を有し、
運転者の注意をより一層喚起する必要がある特定の情報については、前記特定の情報のＲＧＢ成分の値を、前記特定の情報以外の情報に対して、明度、および／または、彩度がより高いＲＧＢ成分の値に調整することを特徴とする車両用表示装置。
【請求項８】
前記ＲＧＢ値調整部は、車両の灯具の調光に連動して、前記情報表示部に表示する、一部、もしくは全ての情報のＲＧＢ成分の値を調整することによって、前記一部、もしくは全ての情報の表示輝度を調整することを特徴とする請求項７に記載の車両用表示装置。
【請求項９】
前記ＲＧＢ値調整部は、前記情報ごとに予め作成された、入力のＲＧＢ成分の値と出力のＲＧＢ成分の値の関係が記憶されたテーブルに基づいて前記情報の表示輝度を調整することを特徴とする請求項７または請求項８に記載の車両用表示装置。
【発明の詳細な説明】
【技術分野】
【０００１】
この発明は、輝度調整機能を有する液晶表示部を備えた車両用表示装置に関するものである。
【背景技術】
【０００２】
自動車のメータークラスタ内には、車速計，エンジン回転計，水温計，燃料残量計，積算距離計，区間距離計，各種警告灯等によって、車両の状態を表す様々な情報表示がなされる。
【０００３】
特に、最近では、メータークラスタ内に設置された液晶表示部の中に、様々な情報を表示する例が提案されている。
【０００４】
このような液晶表示部にあっては、日時や走行環境に伴って車室内の明るさが変化したときに、表示される情報の視認性を高く維持するため、表示される情報の輝度を調整する輝度調整機能を有する輝度調整装置が開示されている。（例えば、特許文献１参照）。
【先行技術文献】
【特許文献】
【０００５】
【特許文献１】特開昭６２−８３２３２号公報
【発明の概要】
【発明が解決しようとする課題】
【０００６】
特許文献１に記載された輝度調整装置では、表示部に備えられたバックライトの輝度を調整することによって、表示輝度を調整している。
【０００７】
したがって、バックライトに流れる電流を制御するための制御回路を設ける必要があるため、回路構成が複雑になり、これによって、表示部のコストが増大するという問題があった。
【０００８】
本発明は上記事情に鑑みなされたもので、バックライトの輝度調整を行うことなしに、表示輝度の調整を行うことができる車両用表示装置を提供することを目的とする。
【課題を解決するための手段】
【０００９】
本発明に係る車両用表示装置は、バックライトの輝度調整を行うことなしに、表示輝度の調整を行うことができるものである。
【００１０】
すなわち、本発明の車両用表示装置は、ＲＧＢ成分を格納可能な複数のレイヤーからなり、前記複数のレイヤーの各々に格納された、車両の運行や車両の状態に関するＲＧＢ成分からなる複数の情報を表示する情報表示部と、前記複数のレイヤーの各々に格納する情報ごとに、ＲＧＢ成分の値を調整することによって前記情報の表示輝度を調整するＲＧＢ値調整部と、前記ＲＧＢ値調整部によって調整されて、前記各レイヤーに格納されたＲＧＢ成分の値を重ね合わせて、前記情報表示部に出力する情報を生成する表示情報生成部と、を有することを特徴とする。
【００１１】
このように構成された車両用表示装置によれば、ＲＧＢ値調整部が、情報表示部の各レイヤーに格納される情報ごとにＲＧＢ成分の値を調整して、こうしてＲＧＢ成分の値が調整されて各レイヤーに格納された情報が、表示情報生成部によって重ね合わされて情報表示部に表示されるため、情報表示部に表示される情報の表示輝度の調整を、ソフトウェアのみで簡便に行うことができる。
【００１２】
また、本発明に係る車両用表示装置は、前記表示情報生成部が、より上位層のレイヤーに格納された情報のＲＧＢ成分の値によって、前記上位層のレイヤーよりも下位層のレイヤーの中の、前記情報と同じ位置に格納された情報をマスクすることによって、前記複数のレイヤーにそれぞれ格納された情報を重畳することを特徴とする。
【００１３】
このように構成された車両用表示装置によれば、表示情報生成部において、より上位層のレイヤーに格納された情報のＲＧＢ成分の値が、下位層のレイヤーの、前記情報と同じ位置に格納された情報をマスクするため、上位層のレイヤーに格納した情報によって、下位層のレイヤーに格納された情報を上書きすることができ、これによって、割り込み表示を容易に行うことができる。
【００１４】
また、本発明に係る車両用表示装置は、前記ＲＧＢ値調整部が、車両の灯具の調光に連動して、前記情報表示部の最下層レイヤーに格納した、一部、もしくは全ての情報のＲＧＢ成分の値を調整するによって、前記一部、もしくは全ての情報の表示輝度を調整することを特徴とする。
【００１５】
このように構成された車両用表示装置によれば、ＲＧＢ値調整部が、情報表示部の最下層レイヤーに格納した、一部、もしくは、全ての情報のＲＧＢ成分の値を、車両の灯具の調光に連動して調整するため、車両用表示装置の表示輝度の調整操作を簡便に行うことができる。
【００１６】
また、本発明に係る車両用表示装置は、前記ＲＧＢ値調整部が、前記情報ごとに予め作成された、入力のＲＧＢ成分の値と出力のＲＧＢ成分の値の関係が記憶されたテーブルに基づいて前記情報の表示輝度を調整することを特徴とする。
【００１７】
このように構成された車両用表示装置によれば、ＲＧＢ値調整部が、入力のＲＧＢ成分の値と出力のＲＧＢ成分の値の関係が記載されたテーブルに基づいて、表示輝度の調整を行うため、ソフトウェアのみで表示輝度の調整ができ、これによって、バックライトの輝度調整を行うことなしに、表示輝度の調整を行うことができる。
【００１８】
また、本発明に係る車両用表示装置は、特定の情報のＲＧＢ値調整部が、前記特定の情報のＲＧＢ成分の値を、他の情報に対して、より明度、および／または、彩度がより高いＲＧＢ成分の値に調整することを特徴とする。
【００１９】
このように構成された車両用表示装置によれば、特定の情報のＲＧＢ値調整部が、特定の情報のＲＧＢ成分の値を、他の情報に対して、明度、および／または、彩度がより高いＲＧＢ成分の値に調整するため、特定の情報の視認性を、他の情報に対して向上させることができる。
【００２０】
また、本発明に係る車両用表示装置は、前記特定の情報が、前記他の情報に対して、運転者の注意をより一層喚起する必要がある情報であることを特徴とする。
【００２１】
このように構成された車両用表示装置によれば、運転者の注意をより一層喚起する必要がある情報が、他の情報に対して、高い視認性をもって表示されるため、注意喚起すべき事象が発生したときに、確実に運転者の注意を喚起することができる。
【００２２】
また、本発明に係る車両用表示装置は、車両の運行や車両の状態に関するＲＧＢ成分からなる複数の情報を表示する情報表示部と、前記情報表示部に表示する情報ごとに、前記情報のＲＧＢ成分の値を調整することによって前記情報の表示輝度を調整するＲＧＢ値調整部と、を有し、運転者の注意をより一層喚起する必要がある特定の情報については、前記特定の情報のＲＧＢ成分の値を、前記特定の情報以外の情報に対して、明度、および／または、彩度がより高いＲＧＢ成分の値に調整することを特徴とする。
【００２３】
このように構成された車両用表示装置によれば、ＲＧＢ値調整部が、情報表示部に表示される情報ごとに、情報表示部に表示される情報のＲＧＢ成分の値を調整するため、情報表示部に表示される情報の表示輝度の調整を、ソフトウェアのみで簡便に行うことができる。さらに、ＲＧＢ値調整部が、運転者の注意をより一層喚起する必要がある特定の情報のＲＧＢ成分の値を、他の情報に対して、明度、および／または、彩度がより高いＲＧＢ成分の値に調整するため、特定の情報の視認性を、他の情報に対して向上させて、確実に運転者の注意を喚起することができる。
【発明の効果】
【００２４】
本発明に係る車両用表示装置によれば、バックライトの輝度調整を行うことなしに、表示輝度の調整を行うことができるという効果が得られる。さらに、特定の情報を明るい色調で表示することができるため、特定の表示の視認性を高めることができるという効果が得られる。
【図面の簡単な説明】
【００２５】
【図１】本発明に係る車両用表示装置の第１実施例の概略構成を示すブロック図である。
【図２】本発明に係る車両用表示装置の情報表示部に表示される第１の情報の一例を示し、（ａ）は表示輝度が最大の状態であり、（ｂ）は表示輝度が中間の状態であり、（ｃ）は表示輝度が最低の状態である。
【図３】本発明に係る車両用表示装置の情報表示部に表示される情報の一例を示し、図２（ｃ）の状態において、警告表示が重畳された例である。
【図４】本発明に係る車両用表示装置において、輝度調整部に記憶された輝度調整テーブルＴ１の一例である。
【図５】本発明に係る車両用表示装置において、色調調整部に記憶された色調調整テーブルの一例を示し、（ａ）は赤色の色調を調整する赤色調整テーブルの一例であり、（ｂ）は緑色の色調を調整する緑色調整テーブルの一例であり、（ｃ）は青色の色調を調整する青色調整テーブルの一例である。
【図６】本発明に係る車両用表示装置において、調整される輝度と色調の一例である。
【図７】本発明に係る車両用表示装置において、情報表示を行う際に実行される処理のフローチャートである。
【図８】本発明に係る車両用表示装置の第２実施例の概略構成を示すブロック図である。
【図９】本発明に係る車両用表示装置において、情報表示部が複数レイヤーから構成されたときのレイヤー構成を説明する図である。
【図１０】本発明に係る車両用表示装置の第２実施例において、情報表示を行う際に実行される処理のフローチャートである。
【発明を実施するための形態】
【００２６】
以下、本発明に係る車両用表示装置の実施例について、図面を参照して説明する。
【実施例１】
【００２７】
以下、本発明の第１の実施形態を、図１から図７を用いて説明する。
【００２８】
本発明を適用した車両用表示装置１００は、図１に示すように、図示しない車両５に備えられ、メータークラスタに設置されて、燃料残量、水温、走行距離等の車両情報表示や、半ドア警告、パーキングブレーキ戻し忘れ警告、燃料残量警告等の警告表示を行う、例えばＴＦＴ（薄膜トランジスタ）によって駆動されるアクティブマトリックス方式のカラー液晶パネルと、このカラー液晶パネルを照明するバックライトからなるカラー液晶モニタで構成された、ＲＧＢ成分を格納可能な情報表示部１０と、情報表示部１０に表示する情報のＲＧＢ値を調整するＲＧＢ値調整部２０と、情報表示部１０に表示する情報のＲＧＢ値の調整量を指示するＲＧＢ値調整量指示部３０と、情報表示部１０に表示を行うために必要な情報を車両５から取得する車両情報取得部４０と、情報表示部１０に表示を出力するタイミング、表示の解除や表示の更新を行うタイミング、および、表示位置の制御を行う表示出力・表示解除および表示位置制御部５０を備えている。
【００２９】
また、前記ＲＧＢ値調整部２０は、さらに、情報表示部１０に表示する情報の輝度を調整する輝度調整部２２と、情報表示部１０に表示する情報の色調を調整する色調調整部２４とからなる。
【００３０】
［表示動作の概要説明］
次に、本実施例で行われる、情報表示動作の概要について説明する。
【００３１】
図２（ａ）から図２（ｃ）、および図３は、本発明を適用した車両用表示装置１００において、情報表示部１０に表示される情報の一例を示す。
【００３２】
まず、図２（ａ）を用いて、情報表示部１０に表示される情報の内容について説明する。情報表示部１０はカラー液晶モニタで構成されており、その画面２００には、水温計２０１，燃料残量計２０２，積算距離計（オドメータ）２０３，区間距離計（トリップメータ）２０４，時計２０５がそれぞれ表示される。
【００３３】
それぞれの情報は、前記ＲＧＢ値調整部２０（図１参照）において調整された表示輝度で表示される。すなわち、図２（ａ）は最大輝度で表示が行われた例であり、図２（ｂ）は中間輝度で表示が行われた例であり、図２（ｃ）は最小輝度で表示が行われた例である。この表示輝度の調整方法については、後述する。
【００３４】
図３は、情報表示部１０に図２（ｃ）に示す輝度で表示が行われているときに、車両情報取得部４０が、車両５の半ドアを検出して、表示出力・表示解除および表示位置制御部５０の作用によって、半ドア警告表示を行った例である。図３の例では、水温計２０１の表示の上に半ドア警告アイコン３０１が上書きされて表示される。
【００３５】
このとき、半ドア警告アイコン３０１は、色調調整部２４において、その表示色調が調整されて表示される。この表示色調の調整方法については、後述する。
【００３６】
半ドア警告アイコン３０１が表示されているときに、運転者が半ドアに気づいて、車両５のドアを閉じると、車両情報取得部４０が、半ドアを検出しないため、表示出力・表示解除および表示位置制御部５０の作用によって半ドア警告アイコン３０１の表示が消えて、情報表示部１０は、図２（ｃ）の表示に戻る。
【００３７】
［輝度調整の概要説明］
次に、図２（ａ）から図２（ｃ）で説明した表示輝度の調整方法について、図４を用いて説明する。
【００３８】
表示輝度の調整は、一般には、車両５に設置されたＲＧＢ値調整量指示部（調光スイッチ）３０（図１参照）の操作量に応じて、情報表示部１０を構成するカラー液晶モニタのバックライトの輝度を調整することによって行われる。
【００３９】
しかし、本実施例では、前記情報表示部１０における表示輝度の調整は、バックライトの輝度を調整することなく、情報表示部に出力される情報のＲＧＢ値を調整することによって行われる。
【００４０】
すなわち、まず、運転者が、車両５に設置されたＲＧＢ値調整量指示部（調光スイッチ）３０（図１参照）を操作すると、前記調光スイッチ３０は、運転者の操作に応じて、前記ＲＧＢ値調整部２０に対して調光段数を指示する。本実施例では、調光段数Ｎが５段からなり、調光段数Ｎ＝１が最低輝度を与え、調光段数Ｎ＝５が最大輝度を与えるものとする。
【００４１】
次に、前記ＲＧＢ値調整量指示部（調光スイッチ）３０によって指示された調光段数Ｎは、前記輝度調整部２２に記憶された、図４に示す輝度調整テーブルＴ１によって、輝度調整を行う際に利用する係数ｋｉ（０≦ｋｉ≦１）に変換される。
【００４２】
すなわち、調光段数Ｎが１のときは係数ｋ１が選択され、調光段数Ｎが２のときは係数ｋ２が選択される。以下、同様にして、調光段数Ｎがｉのときは、係数ｋｉが選択される。
【００４３】
こうして選択された係数ｋｉを用いて、情報表示部１０に出力される情報の輝度値が調整される。
【００４４】
ここで、情報表示部１０に表示される情報の輝度値は、ＲＧＢ値で表されるものとする。すなわち、情報が有する赤色成分をＲ、情報が有する緑色成分をＧ、情報が有する青色成分をＢとして、情報のＲＧＢ値が（Ｒ，Ｇ，Ｂ）で表されるものとする。そして、ＲＧＢ値が小さくなるほど、輝度が小さくなるものとする。
【００４５】
このとき、情報のＲＧＢ値（Ｒ，Ｇ，Ｂ）に、先に設定された係数ｋｉがそれぞれ乗算されて、情報のＲＧＢ値が（ｋｉＲ，ｋｉＧ，ｋｉＢ）に調整される。ここで、０≦ｋｉ≦１である。
【００４６】
こうして調整されたＲＧＢ値が、情報表示部１０に出力される。
【００４７】
上述した、情報の輝度値に係数ｋｉを乗じる操作は、表示すべき情報を情報表示部１０に格納した後、情報表示部１０の画面上に、係数ｋｉと同等の透過率を有するスモークフィルムを重ねる操作と同じ効果を発揮する。
【００４８】
したがって、ＲＧＢ値を調整することによって、情報表示部１０を構成するカラー液晶モニタのバックライトの輝度を調整することなしに、情報の表示輝度を調整することができる。
【００４９】
なお、上記した例は、情報表示部１０に表示する全ての情報（水温計２０１、燃料残量計２０２、積算距離計（オドメータ）２０３、区間距離計（トリップメータ）２０４、時計２０５）の輝度を一様に調整したが、情報表示部１０に表示する情報毎に輝度調整を行うことも可能である。その場合は、水温計２０１、燃料残量計２０２、積算距離計（オドメータ）２０３、区間距離計（トリップメータ）２０４、時計２０５に、それぞれ別の輝度調整テーブルＴ１を持たせて、調光段数Ｎに応じて、それぞれの輝度調整テーブルＴ１を参照して、異なる係数ｋｉを設定すればよい。
【００５０】
［色調調整の概要説明］
輝度調整した情報に、さらに別の情報（本実施例の場合は半ドア警告アイコン３０１）を重ね合わせるとき、重ね合わせる情報の色調を調整することによって、重ね合わせた情報の視認性を、別の情報に対して向上させることができる。この表示色調の調整方法について、図５（ａ）から図５（ｃ）を用いて説明する。表示色調の調整は、運転者が、車両５に設置されたＲＧＢ値調整量指示部（調光スイッチ）３０（図１参照）を操作することによって、前記した表示輝度の調整と連動して行われる。
【００５１】
図５（ａ）から図５（ｃ）は、前記色調調整部２４に記憶された色調調整テーブルＴ２の一例であり、図５（ａ）は赤色の色調を調整する赤色調整テーブルＴ２Ｒの一例を示し、図５（ｂ）は緑色の色調を調整する緑色調整テーブルＴ２Ｇの一例を示し、図５（ｃ）は青色の色調を調整する青色調整テーブルＴ２Ｂの一例を示す。
【００５２】
ここで、図５（ａ）の赤色調整テーブルＴ２Ｒの内容について説明する。
【００５３】
図５（ａ）の横軸は、情報表示部１０に表示する情報の赤色成分Ｒの大きさを表しており、図５（ａ）の縦軸は、調整される赤色の色調Ｒ’を表している。そして、前述した調光段数Ｎ（Ｎ＝１〜５）に応じて、色調の調整量が定義されている。
【００５４】
図５（ａ）の例では、赤色の色調がより明るくなるように調整される、すなわち、赤色成分Ｒの明度、および／または、彩度がより高くなるように調整される設定になっている。例えば、元の赤色の色調がＲ０であり、調光段数Ｎ＝５であるときは、赤色の色調はＲ５’に調整されることを表している。
【００５５】
なお、図５（ｂ），図５（ｃ）に示す例では、緑色成分Ｇと青色成分Ｂについても、赤色成分Ｒと同様の特性に従って色調調整されることを示している。
【００５６】
すなわち、調光段数Ｎ＝５であり、元の緑色の色調がＧ０であるときは、緑色の色調はＧ５’に調整されて、元の青色の色調がＢ０であるときは、青色の色調はＢ５’に調整されることを表している。
【００５７】
このようにして、半ドア警告アイコン３０１を含む領域（図３の矩形領域Ｋ）の内部に対して、図５（ａ）〜図５（ｃ）の色調調整テーブルＴ２が適用される。なお、半ドア警告アイコン３０１のアイコン以外の領域の色調は、（Ｒ’，Ｇ’，Ｂ’）＝（０，０，０）に調整される。
【００５８】
このようにして調整された色調を有する情報は、表示出力・表示解除および表示位置制御部５０の作用によって、情報表示部１０の所定の位置に上書きされる。すなわち、色調調整テーブルＴ２が適用された矩形領域Ｋ（図３参照）が、予め決められた、水温計２０１の表示を覆い隠す位置に上書きされる。なお、矩形領域Ｋの描画位置は、予め設定されて、表示出力・表示解除および表示位置制御部５０に記憶されている。
【００５９】
こうして生成された情報が、メータークラスタ内に設置されたカラー液晶モニタの画面２００に表示される。このとき、半ドア警告アイコン３０１はより明るい色調になるように色調調整されているため、低い輝度に調整されたその他情報に対して視認性が高くなり、注意を喚起すべき情報であることを、運転者に即座に伝達することができる。
［作用説明］
【００６０】
次に、本実施例の一連の流れについて、図７のフローチャートを用いて説明する。
【００６１】
（ステップＳ１０）  運転者が、調光スイッチである前記ＲＧＢ値調整量指示部３０を操作することによって、調光段数Ｎが設定される。設定された調光段数Ｎは、前記輝度調整部２２に送られる。
【００６２】
（ステップＳ２０）  次に、前記輝度調整部２２において、輝度調整テーブルＴ１の中から、調光段数Ｎの値に基づいて、情報表示部１０に表示する情報の表示輝度を算出するための係数ｋｉが読み出される。
【００６３】
（ステップＳ３０）  そして、前記輝度調整部２２において輝度調整が行われる。この輝度調整は、情報表示部１０に出力された情報のＲＧＢ値に対して、先に設定した係数ｋｉを乗じることによって行われる。すなわち、情報表示部１０に出力された情報のＲＧＢ値が（Ｒ，Ｇ，Ｂ）であるとすると、調整された輝度値は（ｋｉＲ，ｋｉＧ，ｋｉＢ）となる。
【００６４】
（ステップＳ４０）  次に、色調調整部２４において、情報表示部１０に表示される警告表示である半ドア警告アイコン３０１の色調調整量が設定される。この色調調整は、前記したように、図５（ａ）から図５（ｃ）に示した、色調調整部２４に記憶された色調調整テーブルＴ２を用いて行われる。なお、具体的な色調調整は、情報表示部１０に出力された半ドア警告アイコン３０１を含む前記矩形領域Ｋの内部に対して、色調調整部２４で設定された色調調整量が適用されることによって行われる。
【００６５】
（ステップＳ５０）  表示出力・表示解除および表示位置制御部５０において、警告表示を行うか否かが判定される。この判定は、車両情報取得部４０において取得した、車両５のいずれかのドアが開いていることを示すドア開信号や、車両５の燃料残量が所定の値を下回っていることを示す燃料残量信号等の車両情報を分析することによって行われる。そして、ドア開信号によって車両５のいずれかのドアが開いていることがわかったとき、あるいは、燃料残量信号によって車両５の燃料残量が所定の値を下回ったことがわかったとき等、警告を行う必要があると判断されるとステップＳ６０に進み、警告を行わなくてよいと判断されるとステップＳ７０に進む。
【００６６】
（ステップＳ６０）  例えば、ステップＳ５０において、車両５のいずれかのドアが開いていることがわかったときは、半ドア警告アイコン３０１を割り込み表示することによって警告表示を行う。このとき、ステップ６０では、情報表示部１０において、ステップＳ３０において輝度調整された情報に、ステップＳ４０において色調調整された半ドア警告アイコン３０１の上書きを行う。具体的な上書きの方法は、前記した通りである。
【００６７】
（ステップＳ７０）  ステップＳ６０で半ドア警告アイコン３０１が上書きされた情報が、背面からバックライトで照射されて、メータークラスタに設置されたカラー液晶モニタの画面２００に表示される。
【００６８】
以上、説明したように、実施例１に係る車両用表示装置１００によれば、ＲＧＢ値調整部２０が、情報表示部１０に表示される情報ごとに、情報表示部１０に表示される情報のＲＧＢ成分の値を調整するようにしたため、情報表示部１０に表示される情報の表示輝度の調整を、ソフトウェアのみで簡便に行うことができ、さらに、ＲＧＢ値調整部２０が、運転者の注意をより一層喚起する必要がある半ドア警告アイコン３０１のＲＧＢ成分の値を、他の情報に対して、明度、および／または、彩度がより高いＲＧＢ成分の値に調整するため、特定の情報の視認性を、他の情報に対して向上させて、確実に運転者の注意を喚起することができる。
【００６９】
また、実施例１に係る車両用表示装置１００によれば、ＲＧＢ値調整部２０が、情報表示部１０に表示する、一部、もしくは、全ての情報のＲＧＢ成分の値を、車両５の灯具の調光に連動して調整するようにしたため、車両用表示装置１００の情報表示部１０の表示輝度の調整操作を簡便に行うことができる。
【００７０】
また、実施例１に係る車両用表示装置１００によれば、ＲＧＢ値調整部２０が、入力のＲＧＢ成分の値と出力のＲＧＢ成分の値の関係が記載された輝度調整テーブルＴ１に基づいて、表示輝度の調整を行うようにしたため、ソフトウェアのみで表示輝度の調整ができ、これによって、バックライトの輝度調整を行うことなしに、表示輝度の調整を行うことができる。
【００７１】
なお、実施例１にあっては、半ドア警告アイコン３０１の色調を、より明るくなるように調整する例を説明したが、色調の調整方法はこの限りではない。すなわち、半ドア警告アイコン３０１の表示色調は、常に最も明るい色調に固定しておくようにしても、半ドア警告アイコン３０１の視認性を高めるという所期の目的を達成することができる。
【００７２】
また、実施例１にあっては、輝度調整された情報に、半ドア警告アイコン３０１を上書きする例を説明したが、上書きする表示は１つに限定されるものではない。すなわち、半ドア警告アイコン３０１を表示する矩形領域Ｋと重複しない領域に、例えばパーキングブレーキ戻し忘れアイコンを出力して、半ドア警告アイコン３０１とパーキングブレーキ戻し忘れアイコンを、それぞれ、輝度調整された情報に上書きして、同時に表示することも可能である。
【実施例２】
【００７３】
以下、本発明の第２の実施形態を、図２から図６、および、図８から図１０を用いて説明する。
【００７４】
本実施例は、車両用表示装置の情報表示部が、ＲＧＢ成分を格納可能な複数のレイヤーからなる情報表示部６０で構成された例である。
【００７５】
すなわち、本発明を適用した車両用表示装置１０１は、図８に示すように、図示しない車両５に備えられ、メータークラスタに設置されて、燃料残量、水温、走行距離等の車両情報表示や、半ドア警告、パーキングブレーキ戻し忘れ警告、燃料残量警告等の警告表示を行う、例えばＴＦＴ（薄膜トランジスタ）によって駆動されるアクティブマトリックス方式のカラー液晶パネルと、このカラー液晶パネルを照明するバックライトからなるカラー液晶モニタで構成された、ＲＧＢ成分を格納可能な複数のレイヤーからなる情報表示部６０と、情報表示部６０に表示する情報の輝度と色調を調整するＲＧＢ値調整部２０と、情報表示部６０に表示する情報のＲＧＢ値の調整量を指示するＲＧＢ値調整量指示部３０と、情報表示部６０に表示を行うために必要な情報を車両５から取得する車両情報取得部４０と、情報表示部１０に表示を出力するタイミング、表示の解除や表示の更新を行うタイミング、および、表示位置の制御を行う表示出力・表示解除および表示位置制御部５０を備えている。
【００７６】
前記情報表示部６０は、さらに、複数レイヤーの各々に、輝度調整、および色調調整された情報を出力するレイヤー設定部６２と、情報表示部６０に表示する情報を生成する表示情報生成部６４とからなる。
【００７７】
また、前記ＲＧＢ値調整部２０は、さらに、情報表示部６０に表示する情報の輝度を調整する輝度調整部２２と、情報表示部６０に表示する情報の色調を調整する色調調整部２４とからなる。
【００７８】
車両用表示装置１０１の作用は、実施例１で説明した車両用表示装置１００とほぼ等しいものであるため、以下、相違点について説明する。
【００７９】
［表示動作の概要説明］
本実施例で行われる、情報表示動作の概要について説明する。
【００８０】
図２（ａ）から図２（ｃ）、および図３は、本発明を適用した車両用表示装置１００において、情報表示部６０に表示される情報の一例を示す。
【００８１】
なお、本実施例において、情報表示部６０を構成するカラー液晶モニタの画面２００は、図９に示すように複数レイヤーＬ（Ｌ１，Ｌ２，…，Ｌｎ）から構成されている。そして、図２（ａ）から図２（ｃ）に示す情報は、その最下層レイヤーＬｎに出力されて、図３に示す半ドア警告アイコン３０１は、最下層レイヤーＬｎ以外のレイヤー（例えばレイヤーＬ１）に出力される。
【００８２】
最下層レイヤーＬｎに出力される情報は、前記輝度調整部２２（図８参照）において調整された表示輝度で表示される。すなわち、図２（ａ）は最大輝度で表示が行われた例であり、図２（ｂ）は中間輝度で表示が行われた例であり、図２（ｃ）は最小輝度で表示が行われた例である。この表示輝度の調整方法は、実施例１で説明した通りである。
【００８３】
図３は、情報表示部６０に図２（ｃ）の表示が行われているときに、車両情報取得部４０が、車両５の半ドアを検出して、表示出力・表示解除および表示位置制御部５０の作用によって、半ドア警告表示を行った例である。図３の例では、水温計２０１の表示に半ドア警告アイコン３０１が上書きされて表示される。
【００８４】
このとき、半ドア警告アイコン３０１は、色調調整部２４において、その表示色調が調整されて表示される。この表示色調の調整方法は、実施例１で説明した通りである。
【００８５】
半ドア警告アイコン３０１が表示されているときに、運転者が半ドアに気づいて、車両５のドアを閉じると、車両情報取得部４０が、半ドアを検出しないため、表示出力・表示解除および表示位置制御部５０の作用によって半ドア警告アイコン３０１の表示が消え、情報表示部６０は、図２（ｃ）の状態に戻る。
【００８６】
［輝度調整の概要説明］
本実施例における、情報表示部６０に表示する情報の表示輝度の調整は輝度調整部２２で行われるが、その輝度調整方法は、実施例１で説明した通りであるため、説明は省略する。
【００８７】
そして、輝度調整部２２において輝度調整された情報は、レイヤー設定部６２の作用によって、カラー液晶モニタの画面２００を構成する複数レイヤーＬの中の最下層レイヤーＬｎに出力される。
【００８８】
［色調調整の概要説明］
本実施例における、情報表示部６０に表示する情報の色調の調整は色調調整部２４で行われるが、その色調調整方法は、実施例１で説明した通りであるため、説明は省略する。
【００８９】
そして、色調調整部２４において色調調整された情報は、レイヤー設定部６２の作用によって、予め決められた、カラー液晶モニタの画面２００を構成する複数レイヤーＬの中の最下層レイヤーＬｎ以外のレイヤー、例えばレイヤーＬ１に出力される。このとき、色調調整テーブルＴ２が適用された矩形領域Ｋ（図３参照）の各頂点の位置座標が、レイヤー設定部１２に記憶される。
【００９０】
［表示情報生成の概要説明］
次に、輝度調整された情報と、色調調整された半ドア警告アイコン３０１を重ね合わせて、情報表示部６０に表示する情報を生成する処理の概要について説明する。
【００９１】
この処理は、表示情報生成部６４において行われ、最下層レイヤーＬｎに出力された輝度調整された情報に、最下層レイヤー以外のレイヤー、例えばレイヤーＬ１に出力された色調調整された情報である半ドア警告アイコン３０１が重畳される。
【００９２】
具体的には、色調調整された範囲である前記矩形領域Ｋの内部について、最下層レイヤーＬｎに出力された輝度調整された情報に対して、レイヤーＬ１に出力された、色調調整された情報が重畳される。すなわち、矩形領域Ｋの内部にあっては、水温計２０１の表示が、色調調整された半ドア警告アイコン３０１によってマスクされて（上書きされて）、水温計２０１の表示は不可視となるように重ね合わされる。
【００９３】
最下層レイヤーＬｎと、最下層以外のレイヤーＬ１に出力された情報を重ね合わせる様子を、図６を用いて説明する。図６は、第１実施例の説明で用いた図であるが、情報表示部６０に表示される情報の形態は、情報表示部１０に表示される形態と同じであるため、図６を流用して説明する。
【００９４】
すなわち、最下層レイヤーＬｎに出力された情報には、先に説明した輝度調整が施されており、例えば、図６において、燃料残量計２０２を示すアイコンを構成する点Ｐ１に、輝度調整前には、ＲＧＢ値（Ｒ，Ｇ，Ｂ）が格納されていたとすると、点Ｐ１は輝度調整されて、ＲＧＢ値は（ｋｉＲ，ｋｉＧ，ｋｉＢ）（1≦ｉ≦５）を有している。
【００９５】
そして、半ドア警告アイコン３０１を構成する点Ｐ２に、色調調整前には、ＲＧＢ値（Ｒ，Ｇ，Ｂ）が格納されていたとすると、点Ｐ２は色調調整されて、ＲＧＢ値は（Ｒｉ’，Ｇｉ’，Ｂｉ’）（1≦ｉ≦５）となる。そして、半ドア警告アイコン３０１を含む矩形領域Ｋは、最下層レイヤーＬｎに出力された水温計２０１（図２（ｃ）参照）の表示をマスクするため、水温計２０１の表示は不可視となる。
【００９６】
なお、本実施例では、色調調整された情報（半ドア警告アイコン３０１）はレイヤーＬ１に出力されたが、これは、色調調整された複数の情報が、最下層レイヤーＬｎ、およびレイヤーＬ１以外のレイヤーに出力された場合であっても、同様の手法によって重ね合わせることができる。すなわち、より上位レイヤーの情報が、それよりも下位レイヤーの情報を隠蔽するように重ね合わされる。
【００９７】
こうして、表示情報生成部６４において重ね合わされた情報が、メータークラスタ内に設置されたカラー液晶モニタの画面２００に表示される。このとき、半ドア警告アイコン３０１はより明るい色調になるように色調調整されているため、最下層レイヤーＬｎに出力された情報に対して視認性が高くなり、注意を喚起すべき情報であることを、即座に伝達することができる。
［作用説明］
【００９８】
次に、本実施例の一連の流れについて、図１０のフローチャートを用いて説明する。
（ステップＳ１００）  まず、レイヤー設定部６２において、カラー液晶モニタの画面２００を構成する複数レイヤーＬの中から、情報表示部６０に表示する情報を出力するレイヤーが設定される。本実施例の場合、水温計２０１，燃料残量計２０２，積算距離計（オドメータ）２０３，区間距離計（トリップメータ）２０４，時計２０５を表示するレイヤーとして最下層レイヤーＬｎが設定されて、半ドア警告アイコン３０１を表示するレイヤーとしてレイヤーＬ１が設定されるものとする。
【００９９】
（ステップＳ１１０）  次に、運転者が、調光スイッチである前記ＲＧＢ値調整量指示部３０を操作することによって、調光段数Ｎを設定する。設定された調光段数Ｎは、前記輝度調整部２２に送られる。
【０１００】
（ステップＳ１２０）  次に、前記輝度調整部２２において、輝度調整テーブルＴ１の中から、調光段数Ｎの値に基づいて、情報表示部６０に表示する情報の表示輝度を算出するための係数ｋｉが読み出される。
【０１０１】
（ステップＳ１３０）  そして、前記輝度調整部２２において輝度調整が行われる。この輝度調整は、最下層レイヤーＬｎに出力された情報のＲＧＢ成分の値に対して、先に設定した係数ｋｉを乗じることによって行われる。すなわち、最下層レイヤーＬｎに出力される情報のＲＧＢ成分の値が（Ｒ，Ｇ，Ｂ）であるとすると、調整された輝度値は（ｋｉＲ，ｋｉＧ，ｋｉＢ）となる。
【０１０２】
（ステップＳ１４０）  次に、色調調整部２４において、情報表示部６０に表示される警告表示である半ドア警告アイコン３０１の色調調整量が設定される。この色調調整は、前記したように、図５（ａ）から図５（ｃ）に示した、色調調整部２４に記憶された色調調整テーブルＴ２を用いて行われる。なお、具体的な色調調整は、レイヤーＬ１に出力される半ドア警告アイコン３０１を含む前記矩形領域Ｋの内部に出力された情報に対して、色調調整部２４で設定された色調調整量が適用されることによって行われる。
【０１０３】
（ステップＳ１５０）  表示出力・表示解除および表示位置制御部５０において、警告表示を行うか否かが判定される。この判定は、車両情報取得部４０において取得した、車両５のいずれかのドアが開いていることを示すドア開信号や、車両５の燃料残量が所定の値を下回っていることを示す燃料残量信号等の車両情報を分析することによって行われる。そして、ドア開信号によって車両５のいずれかのドアが開いていることがわかったとき、あるいは、燃料残量信号によって車両５の燃料残量が所定の値を下回ったことがわかったとき等、警告を行う必要があると判断されるとステップＳ１６０に進み、警告を行わなくてよいと判断されるとステップＳ１７０に進む。
【０１０４】
（ステップＳ１６０）  例えば、ステップＳ１５０において、車両５のいずれかのドアが開いていることがわかったときは、半ドア警告アイコン３０１を割り込み表示することによって警告表示を行う。そのため、ステップ１６０では、表示情報生成部１４において、ステップＳ１３０にて輝度調整されて最下層レイヤーＬｎに出力された情報に、ステップＳ１４０にて色調調整された半ドア警告アイコン３０１の重畳を行う。具体的な重畳の方法は、前記した通りである。
【０１０５】
（ステップＳ１７０）  ステップＳ１６０で重畳された情報が、背面からバックライトで照射されて、メータークラスタに設置されたカラー液晶モニタの画面２００に表示される。
【０１０６】
以上、説明したように、実施例２に係る車両用表示装置１０１によれば、ＲＧＢ値調整部２０が、情報表示部６０の各レイヤーに格納される情報ごとにＲＧＢ成分の値を調整して、こうしてＲＧＢ成分の値が調整されて各レイヤーに格納された情報が、表示情報生成部６４によって重ね合わされて情報表示部６０に表示されるため、情報表示部６０に表示される情報の表示輝度の調整を、ソフトウェアのみで簡便に行うことができる。
【０１０７】
また、実施例２に係る車両用表示装置１０１によれば、表示情報生成部６４において、より上位層のレイヤーに格納された情報のＲＧＢ成分の値が、下位層のレイヤーの、前記情報と同じ位置に格納された情報をマスクするため、上位層のレイヤーに格納した情報によって、下位層のレイヤーに格納された情報を上書きすることができ、これによって、割り込み表示を容易に行うことができる。
【０１０８】
また、実施例２に係る車両用表示装置１０１によれば、ＲＧＢ値調整部２０が、情報表示部６０の最下層レイヤーＬｎに格納した、一部、もしくは、全ての情報のＲＧＢ成分の値を、車両５の灯具の調光に連動して調整するため、車両用表示装置１０１の表示輝度の調整操作を簡便に行うことができる。
【０１０９】
また、実施例２に係る車両用表示装置１０１によれば、ＲＧＢ値調整部２０が、入力のＲＧＢ成分の値と出力のＲＧＢ成分の値の関係が記載された輝度調整テーブルＴ１に基づいて、表示輝度の調整を行うようにしたため、ソフトウェアのみで表示輝度の調整ができ、これによって、バックライトの輝度調整を行うことなしに、表示輝度の調整を行うことができる。
【０１１０】
また、実施例２に係る車両用表示装置１０１によれば、ＲＧＢ値調整部２０が、半ドア警告アイコン３０１のＲＧＢ成分の値を、最下層レイヤーＬｎに出力する情報のＲＧＢ成分の値に対して、明度、および／または、彩度がより高いＲＧＢ成分の値に調整するため、半ドア警告アイコン３０１の視認性を、他の情報に対して向上させることができる。
【０１１１】
また、実施例２に係る車両用表示装置１０１によれば、レイヤーＬ１に出力される、運転者の注意をより一層喚起する必要がある半ドア警告アイコン３０１が、最下層レイヤーＬｎに出力される情報に対して高い視認性をもって表示されため、注意喚起すべき事象が発生したときに、確実に運転者の注意を喚起することができる。
【０１１２】
なお、前記した実施例では、最下層レイヤーＬｎに出力する情報に係数ｋｉを乗じて輝度調整を行ったが、これは、情報表示部６０が有する複数レイヤーＬのうちの１枚のレイヤーを、係数ｋｉと同等の透過率を有するスモークレイヤーとして用い、表示情報生成部１４において、最下層レイヤーＬｎに出力した情報に、スモークレイヤーの透過率として設定した係数ｋｉを乗算して、情報表示部６０に表示する情報の輝度を算出するようにしても、前記した実施例と同等の作用効果を得ることができる。
【０１１３】
また、前記した実施例では、輝度調整された情報は情報表示部６０の最下層レイヤーＬｎに出力したが、これは、最下層レイヤーＬｎ以外のレイヤーに出力してもよい。ただし、その場合は、表示情報生成部６４で行う、複数のレイヤーに出力された情報の重畳処理の方法が適宜変更される。すなわち、輝度調整された情報よりも下層にある情報を重畳するときには、輝度調整された情報の中で、重畳する情報の対応する位置にある領域の情報をクリアして、より下層にある情報が透過して見えているように情報の重畳を行う。
【０１１４】
また、前記した実施例では、輝度調整された情報に、半ドア警告アイコン３０１を重畳表示する例を説明したが、重畳する表示は１つに限定されるものではない。すなわち、半ドア警告アイコン３０１を出力するレイヤーと同じレイヤー、もしくは別のレイヤーの中に、半ドア警告アイコン３０１を表示する矩形領域Ｋと重複しない領域に、例えばパーキングブレーキ戻し忘れアイコンを出力して、半ドア警告アイコン３０１とパーキングブレーキ戻し忘れアイコンを、それぞれ、輝度調整された最下層レイヤーに重畳して、同時に表示することも可能である。
【０１１５】
さらに、前記した実施例では、情報表示部６０はカラー液晶モニタで構成されているものとして説明したが、これに限定されるものではなく、ＥＬ（エレクトロルミネッセンス）パネルや蛍光表示管等の任意の表示装置を用いて、同様の作用効果を得ることができる。
【０１１６】
以上、この発明の実施例を図面により詳述してきたが、実施例はこの発明の例示にしか過ぎないものであるため、この発明は実施例の構成にのみ限定されるものではなく、この発明の要旨を逸脱しない範囲の設計の変更等があってもこの発明に含まれることは勿論である。また、例えば、各実施例に複数の構成が含まれている場合には、特に記載がなくとも、これらの構成の可能な組合せが含まれることは勿論である。さらに、複数の実施例や変形例が示されている場合には、特に記載がなくとも、これらに跨がった構成の組合せのうちの可能なものが含まれることは勿論である。また、図面に描かれている構成については、特に記載がなくとも、含まれることは勿論である。さらに、「等」の用語がある場合には、同等のものを含むという意味で用いられている。また、「ほぼ」「約」「程度」などの用語がある場合には、常識的に認められる範囲や精度のものを含むという意味で用いられている。
【符号の説明】
【０１１７】
１０１  車両用表示装置
６０    情報表示部
６２    レイヤー設定部
６４    表示情報生成部
２０    ＲＧＢ値調整部
２２    輝度調整部
２４    色調調整部      
３０    ＲＧＢ値調整量指示部
４０    車両情報取得部
５０    表示出力・表示解除および表示位置制御部
【図１】
2014080098.tif 000003
【図２】
2014080098.tif 000004
【図３】
2014080098.tif 000005
【図４】
2014080098.tif 000006
【図５】
2014080098.tif 000007
【図６】
2014080098.tif 000008
【図７】
2014080098.tif 000009
【図８】
2014080098.tif 000010
【図９】
2014080098.tif 000011
【図１０】
2014080098.tif 000012